(57)【特許請求の範囲】
【請求項１】
２Ｋ映像の解像度より高い解像度の映像を含む高解像度放送であるか否かを示す構成情報を含む放送波を受信する受信部と、
表示部と、
前記高解像度放送であることを示す前記構成情報を取得したことに基づいて前記高解像度放送を受信可能であると判定する判定部と、
利用者の操作入力を受け入れる操作入力部と、
前記判定部が前記高解像度放送を受信可能であると判定した場合、かつ、前記操作入力部が放送切替を示す操作を受け入れた場合、前記高解像度放送を前記表示部に表示することが可能であることを示す通知を行い、
前記判定部が前記高解像度放送を受信可能であると判定しなかった場合、かつ、前記操作入力部が放送切替を示す操作を受け入れた場合、前記通知を行わない通知部と、
を備える、ことを特徴とする受信装置。
【請求項２】
２Ｋ映像の解像度より高い解像度の映像を含む高解像度放送であるか否かを示す構成情報を含む放送波を受信する受信部と、
表示部と、
前記高解像度放送であることを示す前記構成情報を取得したことに基づいて前記高解像度放送を受信可能であると判定する判定部と、
利用者の操作入力を受け入れる操作入力部と、
前記判定部が前記高解像度放送を受信可能であると判定した場合、かつ、前記操作入力部が番組表を表示する操作を受け入れた場合、前記高解像度放送を前記表示部に表示することが可能であることを示す通知を行い、
前記判定部が前記高解像度放送を受信可能であると判定しなかった場合、かつ、前記操作入力部が番組表を表示する操作を受け入れた場合、前記通知を行わない通知部と、
を備える、ことを特徴とする受信装置。
【請求項３】
２Ｋ映像の解像度より高い解像度の映像を含む高解像度放送であるか否かを示す構成情報を含む放送波を受信する受信部と、
表示部と、
前記高解像度放送であることを示す前記構成情報を取得したことに基づいて前記高解像度放送を受信可能であると判定する判定部と、
前記判定部が前記高解像度放送を受信可能であり、当該高解像度放送の放送波の受信品質が予め定めた正常に視聴可能な範囲の受信品質であると判定した場合、前記高解像度放送を前記表示部に表示することが可能であることを示す通知を行い、
前記判定部が前記高解像度放送を受信可能であり、当該高解像度放送の放送波の受信品質が予め定めた正常に視聴可能な範囲の受信品質ではないと判定した場合、前記通知を行わない通知部と、
を備える、ことを特徴とする受信装置。
【請求項４】
受信装置の受信方法であって、
２Ｋ映像の解像度より高い解像度の映像を含む高解像度放送であるか否かを示す構成情報を含む放送波を受信する受信ステップと、
表示ステップと、
前記高解像度放送であることを示す前記構成情報を取得したことに基づいて前記高解像度放送を受信可能であると判定する判定ステップと、
利用者の操作入力を受け入れる操作入力ステップと、
前記判定ステップにおいて前記高解像度放送を受信可能であると判定した場合、かつ、前記操作入力ステップにおいて放送切替を示す操作を受け入れた場合、前記高解像度放送を前記表示ステップにおいて表示することが可能であることを示す通知を行い、
前記判定ステップにおいて前記高解像度放送を受信可能であると判定しなかった場合、かつ、前記操作入力ステップにおいて放送切替を示す操作を受け入れた場合、前記通知を行わない通知ステップと、
を有する、ことを特徴とする受信方法。
【請求項５】
受信装置の受信方法であって、
２Ｋ映像の解像度より高い解像度の映像を含む高解像度放送であるか否かを示す構成情報を含む放送波を受信する受信ステップと、
表示ステップと、
前記高解像度放送であることを示す前記構成情報を取得したことに基づいて前記高解像度放送を受信可能であると判定する判定ステップと、
利用者の操作入力を受け入れる操作入力ステップと、
前記判定ステップにおいて前記高解像度放送を受信可能であると判定した場合、かつ、前記操作入力ステップにおいて番組表を表示する操作を受け入れた場合、前記高解像度放送を前記表示ステップにおいて表示することが可能であることを示す通知を行い、
前記判定ステップにおいて前記高解像度放送を受信可能であると判定しなかった場合、かつ、前記操作入力ステップにおいて番組表を表示する操作を受け入れた場合、前記通知を行わない通知ステップと、
を有する、ことを特徴とする受信方法。
【請求項６】
受信装置の受信方法であって、
２Ｋ映像の解像度より高い解像度の映像を含む高解像度放送であるか否かを示す構成情報を含む放送波を受信する受信ステップと、
表示ステップと、
前記高解像度放送であることを示す前記構成情報を取得したことに基づいて前記高解像度放送を受信可能であると判定する判定ステップと、
前記判定ステップにおいて前記高解像度放送を受信可能であり、当該高解像度放送の放送波の受信品質が予め定めた正常に視聴可能な範囲の受信品質であると判定した場合、前記高解像度放送を前記表示ステップに表示することが可能であることを示す通知を行い、
前記判定ステップにおいて前記高解像度放送を受信可能であり、当該高解像度放送の放送波の受信品質が予め定めた正常に視聴可能な範囲の受信品質ではないと判定した場合、前記通知を行わない通知ステップと、
を有する、ことを特徴とする受信方法。
【請求項７】
受信装置のコンピュータに、
２Ｋ映像の解像度より高い解像度の映像を含む高解像度放送であるか否かを示す構成情報を含む放送波を受信する受信ステップと、
表示ステップと、
前記高解像度放送であることを示す前記構成情報を取得したことに基づいて前記高解像度放送を受信可能であると判定する判定ステップと、
利用者の操作入力を受け入れる操作入力ステップと、
前記判定ステップにおいて前記高解像度放送を受信可能であると判定した場合、かつ、前記操作入力ステップにおいて放送切替を示す操作を受け入れた場合、前記高解像度放送を前記表示ステップにおいて表示することが可能であることを示す通知を行い、
前記判定ステップにおいて前記高解像度放送を受信可能であると判定しなかった場合、かつ、前記操作入力ステップにおいて放送切替を示す操作を受け入れた場合、前記通知を行わない通知ステップと、
を実行させるための、プログラム。
【請求項８】
受信装置のコンピュータに、
２Ｋ映像の解像度より高い解像度の映像を含む高解像度放送であるか否かを示す構成情
報を含む放送波を受信する受信ステップと、
表示ステップと、
前記高解像度放送であることを示す前記構成情報を取得したことに基づいて前記高解像度放送を受信可能であると判定する判定ステップと、
利用者の操作入力を受け入れる操作入力ステップと、
前記判定ステップにおいて前記高解像度放送を受信可能であると判定した場合、かつ、前記操作入力ステップにおいて番組表を表示する操作を受け入れた場合、前記高解像度放送を前記表示ステップにおいて表示することが可能であることを示す通知を行い、
前記判定ステップにおいて前記高解像度放送を受信可能であると判定しなかった場合、かつ、前記操作入力ステップにおいて番組表を表示する操作を受け入れた場合、前記通知を行わない通知ステップと、
を実行させるための、プログラム。
【請求項９】
受信装置のコンピュータに、
２Ｋ映像の解像度より高い解像度の映像を含む高解像度放送であるか否かを示す構成情報を含む放送波を受信する受信ステップと、
表示ステップと、
前記高解像度放送であることを示す前記構成情報を取得したことに基づいて前記高解像度放送を受信可能であると判定する判定ステップと、
前記判定ステップにおいて前記高解像度放送を受信可能であり、当該高解像度放送の放送波の受信品質が予め定めた正常に視聴可能な範囲の受信品質であると判定した場合、前記高解像度放送を前記表示ステップに表示することが可能であることを示す通知を行い、
前記判定ステップにおいて前記高解像度放送を受信可能であり、当該高解像度放送の放送波の受信品質が予め定めた正常に視聴可能な範囲の受信品質ではないと判定した場合、前記通知を行わない通知ステップと、
を実行させるための、プログラム。
【請求項１０】
請求項７から９のいずれか一項に記載のプログラムを記録したコンピュータに読み取り可能な記憶媒体。
【発明の詳細な説明】
【技術分野】
【０００１】
本発明は、受信装置、受信方法、プログラム及び記憶媒体に関する。
【背景技術】
【０００２】
次世代テレビジョン放送サービスとして、４Ｋ（３８４０ｘ２１６０）超高精細度テレビジョン放送（ＵＨＤＴＶ；Ｕｌｔｒａ  Ｈｉｇｈ  Ｄｅｆｉｎｉｔｉｏｎ  Ｔｅｌｅｖｉｓｉｏｎ、以下、４Ｋ放送という）の試験放送が開始されている。さらに、８Ｋ（７６８０ｘ４３２０）超高精細度テレビジョン放送（以下、８Ｋ放送という）に関する研究開発が進められている。このような４Ｋ・８Ｋ超高解像度テレビジョン放送（以下、高解像度放送という）において、伝送路符号化方式は、新たな方式である高度広帯域衛星デジタル放送方式（例えば、非特許文献１参照）を基本とすることが検討されている。
【先行技術文献】
【非特許文献】
【０００３】
【非特許文献１】一般社団法人  電波産業会、”ＡＲＩＢ  ＳＴＤ−Ｂ６０  １．１版  デジタル放送におけるＭＭＴによるメディアトランスポート方式  標準規格”
【非特許文献２】一般社団法人  電波産業会、”ＡＲＩＢ  ＳＴＤ−Ｂ１０  ５．４版デジタル放送に使用する番組配列情報  標準規格”
【発明の概要】
【発明が解決しようとする課題】
【０００４】
高解像度放送においては、上記のとおり、従来の２Ｋ（１９２０ｘ１０８０）高精細度テレビジョン放送（ＨＤＴＶ；Ｈｉｇｈ  Ｄｅｆｉｎｉｔｉｏｎ  Ｔｅｌｅｖｉｓｉｏｎ、以下、２Ｋ放送という）の方式とは異なる新たな伝送路符号化方式が採用されることが検討されている。そのため、２Ｋ放送から高解像度放送へ切り替える際に、視聴者には切換操作が求められる。そこで、デジタル放送受信装置のリモコンや操作画面上に、視聴者が放送切替操作をするための放送切替手段（切替ボタン等）を常時装備しておくことも考えられる。しかしながら、高解像度放送を受信できない状況においては、そのような放送切替手段を視聴者に認識させないほうが、視聴者にとって便利である。
【０００５】
本発明は上記の点に鑑みてなされたものであり、高解像度放送を受信できるか否かを判定した結果に基づいて、高解像度放送への放送切替手段を表示するか否かを表示切替することができる受信装置、受信方法、プログラム及び記憶媒体を提供する。
【課題を解決するための手段】
【０００６】
（１）本発明は上記の課題を解決するためになされたものであり、本発明の一態様としては、２Ｋ映像の解像度より高い解像度の映像を含む高解像度放送であるか否かを示す構成情報を含む放送波を受信する受信部と、表示部と、前記高解像度放送であることを示す前記構成情報を取得したことに基づいて前記高解像度放送を受信可能であると判定する判定部と、利用者の操作入力を受け入れる操作入力部と、前記判定部が前記高解像度放送を受信可能であると判定した場合、かつ、前記操作入力部が放送切替を示す操作を受け入れた場合、前記高解像度放送を前記表示部に表示することが可能であることを示す通知を行い、前記判定部が前記高解像度放送を受信可能であると判定しなかった場合、かつ、前記操作入力部が放送切替を示す操作を受け入れた場合、前記通知を行わない通知部と、を備える、ことを特徴とする受信装置である。
【０００７】
（２）また、本発明の一態様としては、２Ｋ映像の解像度より高い解像度の映像を含む高解像度放送であるか否かを示す構成情報を含む放送波を受信する受信部と、表示部と、前記高解像度放送であることを示す前記構成情報を取得したことに基づいて前記高解像度放送を受信可能であると判定する判定部と、利用者の操作入力を受け入れる操作入力部と、前記判定部が前記高解像度放送を受信可能であると判定した場合、かつ、前記操作入力部が番組表を表示する操作を受け入れた場合、前記高解像度放送を前記表示部に表示することが可能であることを示す通知を行い、前記判定部が前記高解像度放送を受信可能であると判定しなかった場合、かつ、前記操作入力部が番組表を表示する操作を受け入れた場合、前記通知を行わない通知部と、を備える、ことを特徴とする受信装置である。
【０００８】
（３）また、本発明の一態様としては、２Ｋ映像の解像度より高い解像度の映像を含む高解像度放送であるか否かを示す構成情報を含む放送波を受信する受信部と、表示部と、前記高解像度放送であることを示す前記構成情報を取得したことに基づいて前記高解像度放送を受信可能であると判定する判定部と、前記判定部が前記高解像度放送を受信可能であり、当該高解像度放送の放送波の受信品質が予め定めた正常に視聴可能な範囲の受信品質であると判定した場合、前記高解像度放送を前記表示部に表示することが可能であることを示す通知を行い、前記判定部が前記高解像度放送を受信可能であり、当該高解像度放送の放送波の受信品質が予め定めた正常に視聴可能な範囲の受信品質ではないと判定した場合、前記通知を行わない通知部と、を備える、ことを特徴とする受信装置である。
【００１１】
（４）また、本発明の一態様としては、受信装置の受信方法であって、２Ｋ映像の解像度より高い解像度の映像を含む高解像度放送であるか否かを示す構成情報を含む放送波を受信する受信ステップと、表示ステップと、前記高解像度放送であることを示す前記構成情報を取得したことに基づいて前記高解像度放送を受信可能であると判定する判定ステップと、利用者の操作入力を受け入れる操作入力ステップと、前記判定ステップにおいて前記高解像度放送を受信可能であると判定した場合、かつ、前記操作入力ステップにおいて放送切替を示す操作を受け入れた場合、前記高解像度放送を前記表示ステップにおいて表示することが可能であることを示す通知を行い、前記判定ステップにおいて前記高解像度放送を受信可能であると判定しなかった場合、かつ、前記操作入力ステップにおいて放送切替を示す操作を受け入れた場合、前記通知を行わない通知ステップと、を有する、ことを特徴とする受信方法である。
【００１２】
（５）また、本発明の一態様としては、受信装置のコンピュータに、２Ｋ映像の解像度より高い解像度の映像を含む高解像度放送であるか否かを示す構成情報を含む放送波を受信する受信ステップと、表示ステップと、前記高解像度放送であることを示す前記構成情報を取得したことに基づいて前記高解像度放送を受信可能であると判定する判定ステップと、利用者の操作入力を受け入れる操作入力ステップと、前記判定ステップにおいて前記高解像度放送を受信可能であると判定した場合、かつ、前記操作入力ステップにおいて放送切替を示す操作を受け入れた場合、前記高解像度放送を前記表示ステップにおいて表示することが可能であることを示す通知を行い、前記判定ステップにおいて前記高解像度放送を受信可能であると判定しなかった場合、かつ、前記操作入力ステップにおいて放送切替を示す操作を受け入れた場合、前記通知を行わない通知ステップと、を実行させるための、プログラムである。
（６）また、本発明の一態様としては、上記プログラムを記憶した記録媒体を提供する。
【発明の効果】
【００１３】
本発明によれば、高解像度放送を受信できるか否かを判定した結果に基づいて、高解像度放送への放送切替手段を表示するか否かを表示切替することができる。
【図面の簡単な説明】
【００１４】
【図１】本発明の第１の実施形態に係る受信装置３１が表示する放送選択画面の一例を示す概略図である。
【図２】本発明の第１の実施形態に係る放送システム１の構成の一例を示す概略図である。
【図３】本発明の第１の実施形態に係る送信装置１１の構成の一例を示すブロック図である。
【図４】本発明の第１の実施形態に係る受信装置３１の構成の一例を示すブロック図である。
【図５】本発明の第１の実施形態に係る制御部３３１の構成の一例を示すブロック図である。
【図６】本発明の第１の実施形態に係る受信装置３１の動作の一例を示すフローチャートである。
【図７】本発明の第２の実施形態に係る受信装置３１の表示部３１９に表示される映像の一例を示す概略図である。
【図８】本発明の第４の実施形態に係る受信装置３１の表示部３１９に表示される映像の一例を示す概略図である。
【図９】本発明の第５の実施形態に係る受信装置３１の表示部３１９に表示される映像の一例を示す概略図である。
【図１０】本発明の第１の実施形態に係るリモコン及び受信装置３１が表示する放送選択画面の一例を示す概略図である。
【図１１】本発明の第６の実施形態に係るリモコン及び受信装置３１が表示する放送選択画面の一例を示す概略図である。
【図１２】本発明の第７の実施形態に係るリモコン及び受信装置３１が表示する放送選択画面の一例を示す概略図である。
【図１３】本発明の第８の実施形態に係るリモコン及び受信装置３１が表示する放送選択画面の一例を示す概略図である。
【図１４】本発明の第９の実施形態に係るリモコン及び受信装置３１が表示する放送選択画面の一例を示す概略図である。
【図１５】本発明の第１０の実施形態に係るリモコン及び受信装置３１が表示する放送選択画面の一例を示す概略図である。
【図１６】本発明の第１１の実施形態に係る受信装置３１の動作の一例を示すフローチャートである。
【図１７】本発明の第１２の実施形態に係る受信装置３１の動作の一例を示すフローチャートである。
【図１８】本発明の第１３の実施形態に係る受信装置３１の動作の一例を示すフローチャートである。
【発明を実施するための形態】
【００１５】
以下、図面を参照して、本発明の第１の実施形態について説明する。
（第１の実施形態）
本発明の第１の実施形態について、図面を参照しながら説明する。なお、以下の説明においては、本発明のデジタル放送受信装置を、単に「受信装置」という。
まず始めに、本発明の第１の実施形態の概要を説明する。
図１は、本発明の第１の実施形態に係る受信装置３１が表示する放送選択画面の一例を示す概略図である。
【００１６】
図１（ａ）は、第１の実施形態に係る受信装置３１が高解像度放送を受信不可能な場合において、受信装置３１が自らの表示部３１９に放送選択画面ｓ１を表示させた状態の一例である。
図１（ｂ）は、第１の実施形態に係る受信装置３１が高解像度放送を受信可能な場合において、受信装置３１が自らの表示部３１９に放送選択画面ｓ２を表示させた状態の一例である。
【００１７】
図示する通り、本発明の第1の実施形態に係る受信装置３１は、高解像度放送を受信可能であると判定した場合に、選択肢の中に「ＳＨＶ」を含む放送選択画面ｓ２を自らの表示部３１９に表示させる。なお、「ＳＨＶ」はＳｕｐｅｒ  Ｈｉ−Ｖｉｓｉｏｎの略であり、高解像度放送を意味する。このように、第１の実施形態に係る受信装置３１は、高解像度放送を受信できない環境においては、高解像度放送への放送切替手段を視聴者に提示しない。すなわち、受信装置３１は、高解像度放送を受信できるか否かを判定した結果に基づいて、高解像度放送への放送切替手段を表示するか否かを表示切替する。
以下、第１の実施形態について詳細に説明する。
【００１８】
（放送システムの構成）
図２は、本発明の第１の実施形態に係る放送システムの構成の一例を示す概略図である。
第１の実施形態の放送システム１は、送信装置１１と、放送伝送路１２と、受信装置３１と、を含んで構成される。放送システム１において、送信装置１１と、受信装置３１との台数は、一般的にそれぞれ複数であるが、以下の説明においては、説明を容易にするため、送信装置１１と、受信装置３１との台数が、それぞれ１台である放送システム１の場合について説明する。
【００１９】
また、以下の説明では、放送システム１におけるデジタル放送のメディアトランスポート方式として、例えば、ＭＭＴ（ＭＰＥＧ  Ｍｅｄｉａ  Ｔｒａｎｓｐｏｒｔ）方式（例えば、非特許文献１参照）が採用されている場合について説明する。
【００２０】
送信装置１１は、放送事業者等が有する放送設備を構成する。例えば、送信装置１１は、放送事業者等が放送波を送信するための電波送信基地局である。送信装置１１は、放送番組の内容を示す番組データ及び構成情報を、逐次、放送伝送路１２を介して受信装置３１へ送信する。番組データは、映像データと音声データとを含む。但し、番組データは、音声データを含んでいなくてもよい。構成情報とは、放送番組の構成要素、及び放送により提供されるサービスの構成要素について定義した情報である。
【００２１】
放送伝送路１２は、送信装置１１が送信する各種のデータを、同時に多数の受信装置３１に対して、伝送する伝送路である。放送伝送路１２は、例えば、放送衛星１３、または電波塔１４によって中継される所定の周波数であってもよい。なお、放送伝送路１２の一部には、通信回線が含まれてもよい。
【００２２】
受信装置３１は、送信装置１１から放送伝送路１２を介して放送波を受信する。受信装置３１は、放送波で伝送された番組データと構成情報とを取得する。また、受信装置３１は、番組データから、映像データと音声データとを取得する。受信装置３１は、取得した映像データが示す映像を表示する。また、受信装置３１は、取得した音声データが示す音声（声や音楽の音）を再生する。
【００２３】
受信装置３１は、この一例においては、テレビ受信機である。ただし、受信装置３１は、送信装置１１が送信する番組データ及び構成情報を、放送伝送路１２を介して受信することが可能な、その他の機器（例えば、携帯型情報端末、パーソナルコンピュータ等）であってもよい。
【００２４】
（送信装置の構成）
次に、送信装置１１の構成について説明する。
図３は、本発明の第１の実施形態に係る送信装置１１の構成の一例を示すブロック図である。
送信装置１１は、番組データ取得部１１１、構成情報取得部１１３、多重化部１１４、暗号化部１１５、及び送信部１１６を含んで構成される。
【００２５】
番組データ取得部１１１は、放送番組を構成する映像データと音声データとを取得する。
番組データ取得部１１１は、所定の映像符号化方式で符号化された映像データを取得する。例えば、所定の映像符号化方式は、ＩＳＯ／ＩＥＣ  ２３００８  ＨＥＶＣ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ／Ｉｎｔｅｒｎａｔｉｏｎａｌ  Ｅｌｅｃｔｒｏｎｉｃａｌ  Ｃｏｍｍｉｓｓｉｏｎ  ２３００８  Ｐａｒｔ２  Ｈｉｇｈ  Ｅｆｆｉｃｉｅｎｃｙ  Ｖｉｄｅｏ  Ｃｏｄｉｎｇ、単に、ＨＥＶＣとも呼ばれる）で規格化された方式である。
【００２６】
また、番組データ取得部１１１は、所定の音声符号化方式で符号化された音声データを取得する。例えば、所定の音声符号化方式は、ＩＳＯ／ＩＥＣ  １４４９６  Ｐａｒｔ３（単に、ＭＰＥＧ−４オーディオとも呼ばれる。なお、ＭＰＥＧはＭｏｖｉｎｇ  Ｐｉｃｔｕｒｅ  Ｅｘｐｅｒｔｓ  Ｇｒｏｕｐを略したものである。）で規定された音声符号化方式である。
【００２７】
番組データ取得部１１１は、取得した映像データ及び音声データから所定の形式の番組データを生成する。番組データ取得部１１１は、生成した番組データを多重化部１１４に出力する。例えば、所定の形式の番組データは、ＩＳＯ／ＩＥＣ  ２３００８  Ｐａｒｔ１  ＭＭＴ（ＭＰＥＧ  Ｍｅｄｉａ  Ｔｒａｎｓｐｏｒｔ、単にＭＭＴとも呼ばれる）で規定されたＭＰＵ（Ｍｅｄｉａ  Ｐｒｏｃｅｓｓｉｎｇ  Ｕｎｉｔ）である。各ＭＰＵには、映像や音声の復号処理を行うことができる単位の映像データ又は音声データが含まれる。
【００２８】
構成情報取得部１１３は、構成情報を取得する。構成情報とは、上述したように放送番組の構成要素、及び放送により提供されるサービスの構成要素について定義した情報である。
例えば、構成情報は、ＴＬＶ−ＳＩ（Ｔｙｐｅ  Ｌｅｎｇｔｈ  Ｖａｌｕｅ−Ｓｙｓｔｅｍ  Ｉｎｆｏｒｍａｔｉｏｎ）と、ＭＭＴ−ＳＩ（ＭＭＴ−Ｓｙｓｔｅｍ  Ｉｎｆｏｒｍａｔｉｏｎ）とを含む。
ＴＬＶ−ＳＩは、ＩＰパケットの多重に関する制御情報であり、選局のための情報やＩＰアドレスとサービスとの対応情報を提供する。ＭＭＴ−ＳＩは、放送番組の構成などを示す制御情報である。
【００２９】
ＴＬＶ−ＳＩは、ＴＬＶ−ＮＩＴ（ＴＬＶ−Ｎｅｔｗｏｒｋ  Ｉｎｆｏｒｍａｔｉｏｎ  Ｔａｂｌｅ；ＴＬＶ用ネットワーク情報テーブル）と、ＡＭＴ（Ａｄｄｒｅｓｓ  Ｍａｐ  Ｔａｂｌｅ）のテーブルによって構成される。ＴＬＶ−ＮＩＴは、ネットワークにより運ばれるＴＬＶストリームの物理的構成に関する情報、及びネットワーク自身の特性を表す。ＡＭＴは、放送番組番号を識別するサービス識別子とＩＰパケットとを関連付ける情報を提供する。
【００３０】
また、例えば、構成情報は、ＰＳＩ（Ｐｒｏｇｒａｍ  Ｓｐｅｃｉｆｉｃ  Ｉｎｆｏｒｍａｔｉｏｎ；番組特定情報）等を含む。また、ＰＳＩには、ＮＩＴ（Ｎｅｔｗｏｒｋ  Ｉｎｆｏｒｍａｔｉｏｎ  Ｔａｂｌｅ；ネットワーク情報テーブル）等を含む。
【００３１】
なお、上記のＴＬＶ−ＳＩ、ＭＭＴ−ＳＩ、ＴＬＶ−ＮＩＴ、ＡＭＴ、及びＮＩＴは、ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ；一般社団法人  電波産業会）が、非特許文献１及び非特許文献２等において規定している標準規格である。
【００３２】
構成情報取得部１１３は、取得した構成情報を多重化部１１４に出力する。
【００３３】
多重化部１１４は、番組データ取得部１１１から入力された番組データと、構成情報取得部１１３から入力された構成情報と、を多重化して、所定の形式の多重化データを生成する。例えば、所定の形式の多重化データとは、ＴＬＶ（Ｔｙｐｅ  Ｌｅｎｇｔｈ  Ｖａｌｕｅ）パケットである。多重化部１１４は、生成した多重化データを暗号化部１１５に出力する。
【００３４】
暗号化部１１５は、多重化部１１４から入力された多重化データを所定の暗号化方式を用いて暗号化する。例えば、所定の暗号化方式とは、ＡＥＳ（Ａｄｖａｎｃｅｄ  Ｅｎｃｒｙｐｔｉｏｎ  Ｓｔａｎｄａｒｄ）やＭＵＬＴＩ２である。暗号化部１１５は、暗号化した多重化データを送信部１１６に出力する。
【００３５】
送信部１１６は、暗号化部１１５から入力された多重化データを、放送伝送路１２を介して受信装置３１へ送信する。ここで、送信部１１６は、ベースバンド信号である多重化データで所定の搬送周波数を有する搬送波を変調させる。送信部１１６は、搬送周波数に対応したチャンネル帯域の電波（放送波）をアンテナ（図示せず）により放射する。
【００３６】
（受信装置の構成）
次に、受信装置３１の構成について説明する。
図４は、本発明の第１の実施形態に係る受信装置３１の構成の一例を示すブロック図である。
【００３７】
受信装置３１は、受信部３１１、復号部３１２、分離部３１３、音声復号部３１４、再生部３１６、映像復号部３１７、映像合成部３１８、表示部３１９、記憶部３２２、操作入力部３２３、及び制御部３３１を含んで構成される。
【００３８】
受信部３１１（チューナー）は、送信装置１１が送信した放送波を、放送伝送路１２を介してアンテナ（図示せず）により受信する。受信部３１１は、受信した受信信号を制御部３３１から入力される選局信号で指定されるチャンネルの周波数でベースバンド信号にダウンコンバートすることにより多重化データに変換する。受信部３１１は、変換した多重化データを復号部３１２に出力する。
【００３９】
復号部３１２は、受信部３１１から入力された多重化データ（暗号化されている）を、送信装置１１の暗号化部１１５で用いられた方式に対応する復号方式（例えば、ＡＥＳ）で復号し、復号された多重化データを生成する。復号部３１２は、生成した多重化データを分離部３１３に出力する。
【００４０】
分離部３１３は、復号部３１２から入力された復号後の多重化データから番組データ及び構成情報に分離する。さらに、分離部３１３は、番組データから映像データと音声データとを抽出する。分離部３１３は、抽出した映像データを映像復号部３１７へ出力する。また、分離部３１３は、抽出した音声データを音声復号部３１４へ出力する。また、分離部３１３は、構成情報を制御部３３１へ出力する。
【００４１】
音声復号部３１４は、分離部３１３から音声データを取得する。音声復号部３１４は、取得した音声データを復号する。復号は、符号化に用いられた符号化方式と対応する復号方式によってなされる。それによって、音声復号部３１４は、元の音声データを生成する。復号した音声データは、各時刻における音声のレベルを示すデータである。例えば、符号化に用いられる符号化方式とは、ＭＰＥＧ−４  オーディオである。
音声復号部３１４は、復号した音声データを再生部３１６へ出力する。
再生部３１６は、音声復号部３１４から入力された音声データに基づく音声を再生する。例えば、再生部３１６は、スピーカーを含んで構成される。
【００４２】
映像復号部３１７は、分離部３１３から映像データを取得する。映像復号部３１７は、取得した映像データを復号する。復号は、符号化に用いられた符号化方式と対応する復号方式によってなされる。それによって、映像復号部３１７は、元の映像データを生成する。復号した映像データは、各時刻における映像（フレーム画像）を形成する信号値を示すデータである。例えば、符号化に用いられる符号化方式とは、ＨＥＶＣ、ＭＰＥＧ−２  ビデオである。
映像復号部３１７は、復号した映像データを映像合成部３１８へ出力する。
【００４３】
映像合成部３１８は、映像復号部３１７から映像データを取得する。また、映像合成部３１８は、制御部３３１から放送選択画面等を示す通知画像データ等を取得する。例えば、映像合成部３１８は、映像データに基づく映像上に、通知画像データに基づく放送選択画面等の映像を重ねた映像を生成する。
映像合成部３１８は、生成した映像に基づく映像データを表示部３１９へ出力する。
【００４４】
表示部３１９は、映像合成部３１８から取得した映像データに基づく映像を表示する。
例えば、表示部３１９は、液晶ディスプレイ、有機ＥＬ（Ｅｌｅｃｔｒｏｌｕｍｉｎｅｓｃｅｎｃｅ）ディスプレイ、等を含んで構成される。
【００４５】
記憶部３２２は、各種のデータやプログラムを記憶する記憶媒体である。
例えば、記憶部３２２には、自らの受信装置３１が受信可能な放送に関する情報を示すデータ等を記憶する。受信可能な放送とは、例えば、地上デジタル放送、衛星デジタル放送（ＢＳ、ＣＳ）、及び高解像度放送（４Ｋ放送、８Ｋ放送）等である。
【００４６】
例えば、記憶部３２２は、ＨＤＤ（Ｈａｒｄ  Ｄｉｓｋ  Ｄｒｉｖｅ）、フラッシュメモリ、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＲＯＭ（Ｒｅａｄ  Ｏｎｌｙ  Ｍｅｍｏｒｙ；読み出し専用メモリ）、ＲＡＭ（Ｒａｎｄｏｍ  Ａｃｃｅｓｓ  ｒｅａｄ／ｗｒｉｔｅ  Ｍｅｍｏｒｙ；読み書き可能なメモリ）、又はそれらの任意の組み合わせを含んで構成される。
【００４７】
操作入力部３２３は、受信装置３１の利用者による操作入力を受け付ける。操作入力部３２３は、受け付けた操作入力に基づいて生成される操作信号を生成する。操作入力部３２３は、生成した操作信号を制御部３３１へ出力する。
例えば、操作入力部３２３が生成する操作信号とは、電源のオン／オフを示す信号、放送波のチャンネルを示す信号、等である。この一例においては、操作入力部３２３は、リモートコントローラー（以下、リモコンという）、から操作信号を受信する入力インターフェースである。ただし、操作入力部３２３は、例えば、自らの受信装置３１が備える操作ボタン、または携帯型情報端末（例えば、スマートフォン）、等から操作信号を受信する入力インターフェースであってもよい。
【００４８】
制御部３３１は、コンピュータ（ＣＰＵ）を含む。制御部３３１は、記憶部に格納されたソフトウェア（プログラム）を実行する。それによって、制御部３３１は、受信装置３１の種々の動作を制御する。
例えば、制御部３３１は、分離部３１３から構成情報を取得する。制御部３３１は、取得した構成情報から、受信可能な放送であることを判定するためのＮＩＴ（ネットワーク情報テーブル）、またはＴＬＶ−ＮＩＴ等を抽出する。
【００４９】
第１の実施形態においては、受信装置３１の初期設定時に、各種の放送波の受信を試みる。例えば、受信装置３１（例えば、テレビ受信機）の設置時に、設置業者等によって受信装置３１の初期設定がなされる。初期設定において、例えば、受信装置３１はそれぞれの放送波のチャンネルスキャンを行う。ここで、受信装置３１が、４Ｋ映像の衛星デジタル放送の放送波を受信し、その放送波に含まれる構成情報を示すデータを制御部３３１が取得した場合、制御部３３１は、４Ｋ映像の衛星デジタル放送を受信可能であると判定する。
【００５０】
（制御部の構成）
次に、制御部３３１の構成について更に詳しく説明する。
図５は、本発明の第１の実施形態に係る制御部３３１の構成の一例を示すブロック図である。
制御部３３１は、判定部３３１１と、切替部３３１２と、通知部３３１３と、選局部３３１４と、を含んで構成される。
【００５１】
判定部３３１１は、分離部３１３から構成情報（例えば、ＮＩＴ、またはＴＬＶ−ＮＩＴ）を取得する。判定部３３１１は構成情報を取得したことに基づいて、取得した構成情報を含む放送波、すなわち取得した構成情報に対応する放送を受信可能であると判定する。例えば、判定部３３１１は、高解像度放送に対応する構成情報を取得したことに基づいて、自らの受信装置３１が高解像度放送を受信可能であると判定する。
判定部３３１１は、判定した結果を記憶部３２２に記憶させる。
【００５２】
また、判定部３３１１は、取得した構成情報に対応する放送を受信可能であると判定したことを示す信号を、通知部３３１３、または切替部３３１２へ出力する。例えば、判定部３３１１は、自らの受信装置３１が高解像度放送を受信可能であると判定したことを示す信号を、通知部３３１３、または切替部３３１２へ出力する。
【００５３】
切替部３３１２は、操作入力部３２３から、選局する（チャンネルを変える）ことを示す信号を取得する。切替部３３１２は、取得した信号に基づいて、選択したチャンネルを示す選局信号を受信部３１１へ出力する。
【００５４】
また、切替部３３１２は、判定部３３１１から出力された信号を取得する。この信号は、上記の通り、判定部３３１１が取得した構成情報に対応する放送を受信可能であると判定したことを示す信号である。切替部３３１２は、取得した信号が示す情報に基づいて、選択したチャンネルを示す選局信号を受信部３１１へ出力する。すなわち、例えば、切替部３３１２は、判定部３３１１から、自らの受信装置３１が高解像度放送を受信可能であると判定したことを示す信号を取得する。切替部３３１２は、取得した高解像度放送を受信可能であることを示す信号に基づいて、高解像度放送のチャンネルを示す選局信号を受信部３１１へ出力する。
【００５５】
通知部３３１３は、判定部３３１１から出力された信号を取得する。この信号は、上記の通り、判定部３３１１が取得した構成情報に対応する放送を受信可能であると判定したことを示す信号である。通知部３３１３は、取得した信号に対応する通知画像を示す画像データを記憶部３２２から取得する。通知部３３１３は、取得した画像データを映像合成部３１８へ出力する。通知画像とは、例えば、図１に示す放送選択画面ｓ１または放送選択画面ｓ２等である。
【００５６】
すなわち、例えば、通知部３３１３は、判定部３３１１から、自らの受信装置３１が高解像度放送を受信可能であると判定したことを示す信号を取得する。通知部３３１３は、高解像度放送を受信可能であることを示す信号に基づいて、高解像度放送を選択肢の中に含む放送選択画面（例えば、図１（ｂ）に図示する放送選択画面ｓ２）を示す画像データを記憶部３２２から取得する。そして、通知部３３１３は、取得した画像データを映像合成部３１８へ出力する。
【００５７】
選局部３３１４は、操作入力部３２３から入力された操作信号により放送波を受信するチャンネルを選択する。選局部３３１４は、選択したチャンネルを示す選局信号を受信部３１１へ出力する。
【００５８】
（受信装置の動作）
次に受信装置３１の動作について説明する。
図６は、本発明の第１の実施形態に係る受信装置３１の動作の一例を示すフローチャートである。
【００５９】
（ステップＳ１０１）まず、視聴者等によって、リモコンの電源ボタン、または受信装置３１が備える電源ボタン（図示せず）が押下されることによって、受信装置３１に電源が入れられる。その後、ステップＳ１０２へ進む。
【００６０】
（ステップＳ１０２）受信装置３１の判定部３３１１が、（例えば、高解像度放送のＮＩＴ、またはＴＬＶ−ＮＩＴを取得したことに基づいて）高解像度放送を受信可能と判断した場合、ステップＳ１０３へ進む。そうでない場合は、ステップＳ１０６へ進む。
【００６１】
（ステップＳ１０３）受信装置３１の通知部３３１３が、（例えば、ユーザによる操作に基づいて、または所定のタイミングになったことに基づいて）放送選択画面を表示する命令を示す信号を受信した場合、ステップＳ１０４へ進む。そうでない場合は、ステップＳ１０５へ進む。
【００６２】
（ステップＳ１０４）通知部３３１３は、高解像度放送（ＳＨＶ）を選択肢の中に含む放送選択画面ｓ２を示す画像データを記憶部３２２から取得し、映像合成部３１８を介して、表示部３１９へ出力する。表示部３１９は、高解像度放送（ＳＨＶ）を選択肢の中に含む放送選択画面ｓ２を表示する。その後、ステップＳ１０５へ進む。
【００６３】
（ステップＳ１０５）視聴者等によって、リモコンの電源ボタン、または受信装置３１が備える電源ボタン（図示せず）が押下されることによって、受信装置３１に電源が切られた場合、本フローチャートの処理を終了する。そうでない場合は、ステップＳ１０３へ戻る。
【００６４】
（ステップＳ１０６）受信装置３１の通知部３３１３が、（例えば、ユーザによる操作基づいて、または所定のタイミングになったことに基づいて）放送選択画面を表示する命令を示す信号を受信した場合、ステップＳ１０７へ進む。そうでない場合は、ステップＳ１０８へ進む。
【００６５】
（ステップＳ１０７）通知部３３１３は、高解像度放送（ＳＨＶ）を選択肢の中に含まない放送選択画面ｓ１を示す画像データを記憶部３２２から取得し、映像合成部３１８を介して、表示部３１９へ出力する。表示部３１９は、高解像度放送（ＳＨＶ）を選択肢の中に含まない放送選択画面ｓ１を表示する。その後、ステップＳ１０８へ進む。
【００６６】
（ステップＳ１０８）視聴者等によって、リモコンの電源ボタン、または受信装置３１が備える電源ボタン（図示せず）が押下されることによって、受信装置３１に電源が切られた場合、本フローチャートの処理を終了する。そうでない場合は、ステップＳ１０２へ戻る。
【００６７】
以上、説明したように、本発明の第１の実施形態に係る受信装置３１は、例えば、高解像度放送に対応する構成情報（例えば、ＮＩＴ、またはＴＬＶ−ＮＩＴ）を取得したことに基づいて、高解像度放送を受信可能であると判定する。その後、例えば、受信装置３１が放送選択画面を表示部３１９に表示する際には、高解像度放送（ＳＨＶ）を選択肢に含む放送選択画面（例えば、図１（ｂ）の放送選択画面ｓ２）を表示する。なお、受信装置３１が、高解像度放送を受信可能であるという判定がなされていない場合には、受信装置３１は、高解像度放送（ＳＨＶ）を選択肢に含まない放送選択画面（例えば、図１（ａ）の放送選択画面ｓ１）を表示部３１９に表示する。
【００６８】
以上により、本発明の第１の実施形態に係る受信装置３１は、高解像度放送を受信できるか否かを判定した結果に基づいて、高解像度放送への放送切替手段を表示するか否かを表示切替することができる。
【００６９】
（第２の実施形態）
上述した第１の実施形態においては、受信装置３１の初期設定時に、高解像放送の放送波の受信を試みることによって、受信装置３１は、高解像度放送を受信可能であるか否かを判定した。
第２の実施形態においては、初期設定時ではなく、通常時に受信装置３１が自らの表示部３１９に表示させる設定画面において、高解像度放送を受信するための設定を可能にするための設定メニューが設けられる。受信装置３１が自らの表示部３１９に、設定メニューを表示させた場合の一例を図７に示す。
図７は、本発明の第２の実施形態に係る受信装置３１の表示部３１９に表示される映像の一例を示す概略図である。
【００７０】
まず、視聴者等による操作（例えば、リモコンを用いての操作）によって、図７に図示するような設定メニュー画面ｓｍ１が、受信装置３１の表示部３１９に表示される。さらに、視聴者等による操作によって、設定メニュー画面ｓｍ１内の選択肢の１つである「ＳＨＶ受信確認」が選択決定される。「ＳＨＶ受信確認」が選択決定されると、受信装置３１は、高解像度放送（ＳＨＶ）の放送波の受信を試みる。ここで、受信装置３１が、高解像度放送の放送波を受信し、その放送波に含まれる構成情報（例えば、ＮＩＴ、またはＴＬＶ−ＮＩＴ）を示すデータを判定部３３１１が取得した場合、判定部３３１１は、高解像度放送を受信可能であると判定する。そして、判定部３３１１は、自らの受信装置３１が高解像度放送を受信可能であることを示すデータを、記憶部３２２に記憶させる。
【００７１】
以上、説明したように、本発明の第２の実施形態によれば、初期設定時ではなく通常時においても、視聴者等は設定メニュー画面ｓｍ１を介して高解像度放送の放送波の取得を試みることができる。そして、受信装置３１の判定部３３１１が、高解像度放送に対応する構成情報（例えば、ＮＩＴ、またはＴＬＶ−ＮＩＴ）を受信した場合には、その後、例えば、表示部３１９に表示される放送選択画面（例えば、図１（ｂ）の放送選択画面ｓ２）には、高解像度放送（ＳＨＶ）が含まれるようになる。
【００７２】
以上により、本発明の第２の実施形態に係る受信装置３１は、高解像度放送を受信できるか否かを判定した結果に基づいて、高解像度放送への放送切替手段を表示するか否かを表示切替することができる。
【００７３】
（第３の実施形態）
第１の実施形態においては、受信装置３１の初期設定時に、設置業者等によるユーザ操作によって高解像度放送の受信確認がなされ、受信装置３１は、高解像度放送の受信可能であるか否かを判定した。また、第２の実施形態では、通常時の設定メニュー画面において、視聴者によるユーザ操作によって高解像度放送の受信確認がなされ、受信装置３１は、高解像度放送を受信可能であるか否かを判定した。
【００７４】
第３の実施形態においては、ユーザ操作によらず所定のタイミングで、受信装置３１は、高解像度放送を受信可能であるか否かを判定する。第３の実施形態において、所定のタイミングとは、受信装置３１の電源が切られた時である。受信装置３１の電源が切られた時に、受信装置３１は、高解像度放送の放送波の受信を試みる。例えば、視聴者が放送番組の視聴を終え、電源をオフにする（なお、主電源は切られていない、すなわち、待機時の電源はオンのままである。）。すると、受信装置３１は、高解像度放送（ＳＨＶ）の放送波の受信を試みる。ここで、受信装置３１が、高解像度放送の放送波を受信し、その放送波に含まれる構成情報（例えば、ＮＩＴ、またはＴＬＶ−ＮＩＴ）を示すデータを判定部３３１１が取得した場合、判定部３３１１は、高解像度放送を受信可能であると判定する。そして、判定部３３１１は、自らの受信装置３１が高解像度放送を受信可能であることを示すデータを、記憶部３２２に記憶させる。
【００７５】
以上、説明したように、本発明の第３の実施形態によれば、受信装置３１は、電源が切られた時に高解像度放送の放送波の取得を試みる。そして、受信装置３１の判定部３３１１が、高解像度放送に対応する構成情報（例えば、ＮＩＴ、またはＴＬＶ−ＮＩＴ）を受信した場合には、その後、例えば、表示部３１９に表示される放送選択画面（例えば、図１（ｂ）の放送選択画面ｓ２）には、高解像度放送（ＳＨＶ）が含まれるようになる。
【００７６】
以上により、本発明の第３の実施形態に係る受信装置３１は、高解像度放送を受信できるか否かを判定した結果に基づいて、高解像度放送への放送切替手段を表示するか否かを表示切替することができる。
【００７７】
（第４の実施形態）
第４の実施形態においても、上述した第３の実施形態と同様に、ユーザ操作によらず所定のタイミングで、受信装置３１は、高解像度放送を受信可能であるか否かを判定する。第４の実施形態において、所定のタイミングとは、受信装置３１がユーザによって使用開始されてから、所定の時間が経過した後（例えば、３時間経過後、または１週間経過後等）である。所定の時間が経過した場合、受信装置３１は、高解像度放送の放送波の受信を試みる。ここで、受信装置３１が、高解像度放送の放送波を受信し、その放送波に含まれる構成情報（例えば、ＮＩＴ、またはＴＬＶ−ＮＩＴ）を示すデータを判定部３３１１が取得した場合、判定部３３１１は、高解像度放送を受信可能であると判定する。そして、判定部３３１１は、自らの受信装置３１が、高解像度放送を受信可能であることを示すデータを、記憶部３２２に記憶させる。
【００７８】
また、判定部３３１１が高解像度放送を受信可能であると判定したタイミングで、通知部３３１３は、高解像度放送を受信可能であることを示す通知画面（例えば、ガイダンス画面）を表示してもよい。受信装置３１の表示部３１９にガイダンス画面ｍ１を表示させた場合の一例を図８に示す。
図８は、本発明の第４の実施形態に係る受信装置３１の表示部３１９に表示される映像の一例を示す概略図である。
図示するように、判定部３３１１が高解像度放送を受信可能であると判定したタイミングで、表示部３１９にガイダンス画面ｍ１が表示される。例えば、ガイダンス画面ｍ１は、図８のように、「４Ｋ放送の視聴ができます。設定を行いますか？」という文言と、「はい」及び「いいえ」と記載された選択ボタンと、を示す画像である。
【００７９】
以上、説明したように、本発明の第４の実施形態によれば、受信装置３１がユーザによって使用開始されてから所定の時間が経過した後に、受信装置３１は高解像度放送の放送波の取得を試みる。そして、受信装置３１の判定部３３１１が、高解像度放送に対応する構成情報（例えば、ＮＩＴ、またはＴＬＶ−ＮＩＴ）を受信した場合には、表示部３１９にガイダンス画面ｍ１を表示する。
【００８０】
以上により、本発明の第４の実施形態に係る受信装置３１は、高解像度放送を受信できるか否かを判定した結果に基づいて、高解像度放送への放送切替手段を表示するか否かを表示切替することができる。
【００８１】
（第５の実施形態）
第５の実施形態においては、高解像度放送ではない放送を受信している場合に（例えば、２Ｋ映像による衛星デジタル放送（ＢＳ）を受信時）に選局可能な、高解像度放送のプロモーションチャンネルが、予め放送事業者等によって用意される。
視聴者等によってプロモーションチャンネルが選局された場合、受信装置３１は、高解像度放送の放送波の受信を試みる。ここで、受信装置３１が、高解像度放送の放送波を受信し、その放送波に含まれる構成情報（例えば、ＮＩＴ、またはＴＬＶ−ＮＩＴ）を示すデータを判定部３３１１が取得した場合、判定部３３１１は、高解像度放送を受信可能であると判定する。そして、判定部３３１１は、自らの受信装置３１が高解像度放送を受信可能であることを示すデータを、記憶部３２２に記憶させる。
【００８２】
図９は、本発明の第５の実施形態に係る受信装置３１の表示部３１９に表示される映像の一例を示す概略図である。
プロモーションチャンネルが選局された場合、図９に図示するように、受信装置３１の表示部３１９には、ガイダンス画面ｍ１が表示される。例えば、ガイダンス画面ｍ１は、図９に図示するように、「４Ｋ放送の視聴ができます。設定を行いますか？」という文言と、「はい」及び「いいえ」と記載された選択ボタンと、を示す画像である。
【００８３】
以上により、本発明の第５の実施形態に係る受信装置３１は、高解像度放送を受信できるか否かを判定した結果に基づいて、高解像度放送への放送切替手段を表示するか否かを表示切替することができる。
【００８４】
（第６の実施形態）
上述した第１の実施形態においては、受信装置３１は、放送選択画面を表示する場合、高解像度放送を受信可能であると判定した場合に限り、選択肢の中に高解像度放送を示す「ＳＨＶ」を含めた放送選択画面を表示した。
図１０は、本発明の第１の実施形態に係るリモコン及び受信装置３１が表示する放送選択画面の一例を示す概略図である。
例えば、図１０（ａ）に図示するリモコンの「放送切替」ボタンが押下された場合、高解像度放送を受信可能であると判定部３３１１によって判定がなされていないならば、表示部３１９に表示される放送切替画面は図１０（ｂ）に図示する放送選択画面ｓ１のようになる。逆に、既に高解像度放送を受信可能であると判定部３３１１が判定しているならば、表示部３１９に表示される放送切替画面は図１０（ｃ）に図示する放送選択画面ｓ２のようになる。
【００８５】
第６の実施形態においては、受信装置３１が２Ｋ映像による衛星デジタル放送（ＢＳ）を表示部３１９に表示している場合において、リモコンの「ＢＳ」ボタンが押下された場合に、高解像度放送を受信可能であると判定部３３１１によって判定がなされているならば、ドロップダウンリストｓ３を表示する。なお、リモコンの「ＢＳ」ボタンに記載された「ＢＳ」は、２Ｋ映像による衛星デジタル放送を意味する。
図１１は、本発明の第６の実施形態に係るリモコン及び受信装置３１が表示する放送選択画面の一例を示す概略図である。
【００８６】
例えば、図１１（ａ）に図示するリモコンの「ＢＳ」ボタンｂ２が押下された場合、高解像度放送を受信可能であると判定部３３１１によって判定がなされていないならば、図１１（ｂ）に図示するように、表示部３１９には２Ｋ映像による衛星デジタル放送（ＢＳ）のコンテンツが表示されるだけである。逆に、既に高解像度放送を受信可能であると判定部３３１１によって判定がなされているならば、表示部３１９には図１０（ｃ）に図示するドロップダウンリストｓ３が表示される。ドロップダウンリストには、「ＢＳ」と「ＳＨＶ」の２つのボタンによって示される２つの選択肢が表示される。
【００８７】
このとき、ＢＳボタンが選択決定された場合には、引き続き、表示部３１９には２Ｋ映像による衛星デジタル放送（ＢＳ）のコンテンツが表示される。一方、「ＳＨＶ」ボタンが選択された場合には、表示部３１９には高解像度放送（例えば、４Ｋ映像または８Ｋ映像による衛星デジタル放送）のコンテンツが表示される。また、どちらのボタンも選択されなかった場合は、例えば、所定の時間（例えば、１０秒間）経過した後に、「ＢＳ」ボタンが選択されたものとみなされる。
【００８８】
なお、この一例においては、「ＢＳ」ボタンが押下された場合にドロップダウンリストｓ３が表示されるが、これに限られない。例えば、その他のボタン（「地上Ｄ」ボタンまたは「ＣＳ」ボタン等）が押下された場合にドロップダウンリストが表示されるようにしてもよい。
【００８９】
なお、リモコンに、「ＢＳ」ボタン等と並べて「ＳＨＶ」ボタンを設けた場合、高解像度放送（ＳＨＶ）を視聴できない環境においては、「ＳＨＶ」ボタンは無用なボタンとなる。したがって、高解像度放送（ＳＨＶ）を受信できない環境においては、高解像度放送（ＳＨＶ）への放送切替手段を視聴者に認識させないほうが、視聴者にとって便利である。よって、第６の実施形態に係る受信装置３１は、「ＳＨＶ」ボタンをリモコンに新たに追加するのではなく、その他のボタン（例えば、「ＢＳ」ボタン）を用いて、高解像度放送（ＳＨＶ）への放送切替がなされる。
【００９０】
以上により、本発明の第６の実施形態に係る受信装置３１は、高解像度放送を受信できるか否かを判定した結果に基づいて、高解像度放送への放送切替手段を表示するか否かを表示切替することができる。
【００９１】
（第７の実施形態）
上述した第６の実施形態においては、受信装置３１は、表示部３１９にドロップダウンリストｓ３を表示した。第７の実施形態においては、受信装置３１が２Ｋ映像による衛星デジタル放送（ＢＳ）を表示部３１９に表示している場合において、リモコンの「ＢＳ」ボタンが押下された場合に、高解像度放送（ＳＨＶ）を受信可能であると判定部３３１１によって判定がなされているならば、ガイダンス画面ｍ２を表示する。
図１２は、本発明の第７の実施形態に係るリモコン及び受信装置３１が表示する放送選択画面の一例を示す概略図である。
【００９２】
例えば、図１２（ａ）に図示するリモコンの「ＢＳ」ボタンが押下された場合、高解像度放送（ＳＨＶ）を受信可能であると判定部３３１１によって判定がなされていないならば、図１２（ｂ）に図示するように、表示部３１９には２Ｋ映像による衛星デジタル放送（ＢＳ）のコンテンツが表示されるだけである。逆に、既に高解像度放送（ＳＨＶ）を受信可能であると判定部３３１１によって判定がなされているならば、表示部３１９には図１０（ｃ）に図示するガイダンス画面ｍ２が表示される。ガイダンス画面ｍ２には、「４Ｋ放送の視聴ができます。」という通知文と「ＳＨＶ」ボタンとが含まれる。
このとき、「ＳＨＶ」ボタンが押下された場合には、高解像度放送（ＳＨＶ）への放送切替が行われ、表示部３１９には高解像度放送（例えば、４Ｋ映像による衛星デジタル放送）のコンテンツが表示される。「ＳＨＶ」ボタンを押下されなかった場合には、例えば、一定の時間（例えば、１０秒間）が経過した後に、ガイダンス画面ｍ２は表示部３１９から消える。そして、引き続き、表示部３１９には２Ｋ映像による衛星デジタル放送（ＢＳ）の放送コンテンツが表示される。
【００９３】
なお、この一例においては、「ＢＳ」ボタンが押下された場合にガイダンス画面ｍ２が表示されるが、これに限られない。「ＢＳ」ボタン以外のボタン、例えば、「地上Ｄ」ボタン、「ＣＳ」ボタン等、が押下された場合に、ガイダンス画面ｍ２が表示されるようにしてもよい。
【００９４】
以上により、本発明の第７の実施形態に係る受信装置３１は、高解像度放送を受信できるか否かを判定した結果に基づいて、高解像度放送への放送切替手段を表示するか否かを表示切替することができる。
【００９５】
（第８の実施形態）
第８の実施形態においては、受信装置３１の表示部３１９に番組表（例えば、ＥＰＧ）を表示させる場合において、高解像度放送を受信可能であると判定部３３１１によって判定がなされているならば、選択肢の中に高解像度放送（ＳＨＶ）を含めた放送選択画面ｓ５を、番組表の中に表示する。
図１３は、本発明の第８の実施形態に係るリモコン及び受信装置３１が表示する放送選択画面の一例を示す概略図である。
【００９６】
例えば、図１３（ａ）に図示するリモコンの「ＥＰＧ（番組表）」ボタンｂ３が押下された場合、高解像度放送（ＳＨＶ）を受信可能であると判定部３３１１によって判定がなされていないならば、図１３（ｂ）に図示するように、表示部３１９には番組表とともに、高解像度放送を示す「ＳＨＶ」を選択肢に含まない放送選択面ｓ４が表示される。逆に、既に高解像度放送を受信可能であると判定部３３１１によって判定がなされているならば、図１３（ｃ）に図示するように、表示部３１９には番組表とともに、高解像度放送を示す「ＳＨＶ」を選択肢に含む放送選択面ｓ５が表示される。
【００９７】
なお、番組表画面において、放送選択画面ｓ４または放送画面ｓ５によって放送切替がなされた場合には、切り替えた放送の番組表が、表示部３１９に表示される。例えば、地上デジタル放送（地上Ｄ）の番組表が表示されている場合において、放送選択画面ｓ５の中の「ＳＨＶ」が選択決定されたならば、表示部３１９には、高解像度放送（ＳＨＶ）の番組表が表示されるように表示が切り替わる。
【００９８】
以上により、本発明の第８の実施形態に係る受信装置３１は、高解像度放送を受信できるか否かを判定した結果に基づいて、高解像度放送への放送切替手段を表示するか否かを表示切替することができる。
【００９９】
（第９の実施形態）
上述した第８の実施形態においては、受信装置３１は、番組表画面の中に放送選択画面を表示した。第９の実施形態においては、受信装置３１が２Ｋ映像による衛星デジタル放送（ＢＳ）の番組表（ＥＰＧ）を表示部３１９に表示している場合において、高解像度放送を受信可能であると判定部３３１１によって判定がなされているならば、ガイダンス画面ｍ３を番組表の中に表示する。
図１４は、本発明の第９の実施形態に係るリモコン及び受信装置３１が表示する放送選択画面の一例を示す概略図である。
【０１００】
例えば、受信装置３１が２Ｋ映像による衛星デジタル放送（ＢＳ）の番組表（ＥＰＧ）を表示部３１９に表示している場合において、図１４（ａ）に図示するリモコンの「ＥＰＧ（番組表）」ボタンｂ３が押下された場合、高解像度放送を受信可能であると判定部３３１１に判定がなされていないならば、図１４（ｂ）に図示するように、表示部３１９には番組表が表示されるだけである。逆に、既に高解像度放送を受信可能であると判定部３３１１によって判定がなされているならば、図１４（ｃ）に図示するように、表示部３１９には番組表とともに、ガイダンス画面ｍ３が表示される。
【０１０１】
ガイダンス画面ｍ３には、「ＳＨＶの番組表に切り替えできます。」という通知文と「ＳＨＶ」ボタンとが含まれる。このとき、「ＳＨＶ」ボタンが押下された場合には、高解像度放送への放送切替が行われ、表示部３１９には高解像度放送（例えば、４Ｋ映像または８Ｋ映像による衛星デジタル放送）の番組表が表示される。
【０１０２】
以上により、本発明の第９の実施形態に係る受信装置３１は、高解像度放送を受信できるか否かを判定した結果に基づいて、高解像度放送への放送切替手段を表示するか否かを表示切替することができる。
【０１０３】
（第１０の実施形態）
上述した第９の実施形態においては、受信装置３１は、２Ｋ映像による衛星デジタル放送（ＢＳ）の番組表（ＥＰＧ）を表示部３１９に表示する場合に、ガイダンス画面ｍ３を番組表の中に表示した。第１０の実施形態においては、受信装置３１が、任意の放送（例えば、地上デジタル放送、または２Ｋ映像の衛星デジタル放送（ＢＳ）等）の番組表（ＥＰＧ）を表示部３１９に表示している場合において、任意の他の放送の番組表へ表示が切り替えられた際に、高解像度放送を受信可能であると判定部３３１１によって判定がなされているならば、表示切替後の任意の他の放送の番組表の中にガイダンス画面ｍ３を表示する。
図１５は、本発明の第１０の実施形態に係るリモコン及び受信装置３１が表示する放送選択画面の一例を示す概略図である。
【０１０４】
例えば、受信装置３１が衛星デジタル放送（ＣＳ）の番組表（ＥＰＧ）を表示部３１９に表示している場合において、図１５（ａ）に図示するリモコンの「地上Ｄ」ボタンｂ４が押下された場合、高解像度放送を受信可能であると判定部３３１１によって判定がなされていないならば、図１５（ｂ）に図示するように、表示部３１９には地上デジタル放送（地上Ｄ）の番組表が表示されるだけである。逆に、既に高解像度放送を受信可能であると判定部３３１１によって判定なされているならば、図１５（ｃ）に図示するように、表示部３１９には地上デジタル放送（地上Ｄ）番組表とともに、ガイダンス画面ｍ３が表示される。
【０１０５】
ガイダンス画面ｍ３には、「ＳＨＶの番組表に切り替えできます。」という通知文と「ＳＨＶ」ボタンとが含まれる。このとき、「ＳＨＶ」ボタンが押下された場合には、高解像度放送への放送切替が行われ、表示部３１９には高解像度放送（例えば、４Ｋ映像または８Ｋ映像による衛星デジタル放送）の番組表が表示される。
【０１０６】
以上により、本発明の第１０の実施形態に係る受信装置３１は、高解像度放送を受信できるか否かを判定した結果に基づいて、高解像度放送への放送切替手段を表示するか否かを表示切替することができる。
【０１０７】
（第１１の実施形態）
上述した第１の実施形態から第１０の実施形態までの実施形態においては、受信装置３１の判定部３３１１が構成情報（例えば、ＮＩＴ、またはＴＬＶ−ＮＩＴ）を取得したことに基づいて、取得した構成情報を含む放送波に含まれる放送、すなわち取得した構成情報に対応する放送を受信可能であると判定した。そして、受信装置３１は、受信可能であると判定した放送に表示を切替えるための切替手段を表示部３１９に表示した。
しかしながら、放送波の受信信号強度が低い環境に受信装置３１が存在する場合や、ＢＥＲ（Ｂｉｔ  Ｅｒｒｏｒ  Ｒａｔｅ；符号誤り率）が高い環境に受信装置３１が存在する場合等においては、たとえ構成情報（例えば、ＮＩＴ、またはＴＬＶ−ＮＩＴ）を取得してできていたとしても、受信した放送波に基づく放送コンテンツを、受信装置３１は表示部３１９に正常に表示できない場合もあり得る。
【０１０８】
第１１の実施形態においては、判定部３３１１が、構成情報（例えば、ＮＩＴ、またはＴＬＶ−ＮＩＴ）を取得したことに基づいて、取得した構成情報に対応する放送を受信可能であると判定し、かつ、その構成情報に対応する放送の放送コンテンツを正常に視聴可能な受信レベル（受信品質）であると判定した場合に、受信装置３１は、その放送を視聴可能であると判定する。そして、受信装置３１は、視聴可能であると判定した放送に表示を切替えるための切替手段を表示部３１９に表示する。
【０１０９】
（受信装置の動作）
以下、第１１の実施形態に係る受信装置３１の動作について説明する。
図１６は、本発明の第１１の実施形態に係る受信装置３１の動作の一例を示すフローチャートである。
【０１１０】
（ステップＳ２０１）まず、視聴者等によって、リモコンの電源ボタン、または受信装置３１が備える電源ボタン（図示せず）が押下されることによって、受信装置３１に電源が入れられる。その後、ステップＳ２０２へ進む。
【０１１１】
（ステップＳ２０２）受信装置３１の判定部３３１１が、（例えば、高解像度放送のＮＩＴ、またはＴＬＶ−ＮＩＴを取得したことに基づいて）高解像度放送を受信可能と判断した場合、ステップＳ２０３へ進む。そうでない場合は、ステップＳ２０７へ進む。
【０１１２】
（ステップＳ２０３）受信装置３１の判定部３３１１が、（例えば、受信信号強度やＢＥＲを測定した結果に基づいて）高解像度放送を正常に視聴可能と判断した場合、ステップＳ２０３へ進む。そうでない場合は、ステップＳ２０７へ進む。
【０１１３】
（ステップＳ２０４）受信装置３１の通知部３３１３が、（例えば、ユーザによる操作基づいて、または所定のタイミングになったことに基づいて）放送選択画面を表示する命令を示す信号を受信した場合、ステップＳ２０５へ進む。そうでない場合は、ステップＳ２０６へ進む。
【０１１４】
（ステップＳ２０５）通知部３３１３は、高解像度放送を選択肢の中に含む放送選択画面を示す画像データを記憶部３２２から取得し、映像合成部３１８を介して、表示部３１９へ出力する。表示部３１９は、高解像度放送を選択肢の中に含む放送選択画面を表示する。その後、ステップＳ２０６へ進む。
【０１１５】
（ステップＳ２０６）視聴者等によって、リモコンの電源ボタン、または受信装置３１が備える電源ボタン（図示せず）が押下されることによって、受信装置３１に電源が切られた場合、本フローチャートの処理を終了する。そうでない場合は、ステップＳ２０４へ戻る。
【０１１６】
（ステップＳ２０７）受信装置３１の通知部３３１３が、（例えば、ユーザによる操作基づいて、または所定のタイミングになったことに基づいて）放送選択画面を表示する命令を示す信号を受信した場合、ステップＳ２０８へ進む。そうでない場合は、ステップＳ２０９へ進む。
【０１１７】
（ステップＳ２０８）通知部３３１３は、高解像度放送を選択肢の中に含まない放送選択画面を示す画像データを記憶部３２２から取得し、映像合成部３１８を介して、表示部３１９へ出力する。表示部３１９は、高解像度放送を選択肢の中に含まない放送選択画面を表示する。その後、ステップＳ２０９へ進む。
【０１１８】
（ステップＳ２０９）視聴者等によって、リモコンの電源ボタン、または受信装置３１が備える電源ボタン（図示せず）が押下されることによって、受信装置３１に電源が切られた場合、本フローチャートの処理を終了する。そうでない場合は、ステップＳ２０２へ戻る。
【０１１９】
以上、説明したように、本発明の第１１の実施形態に係る受信装置３１は、高解像度放送に対応する構成情報（例えば、ＮＩＴ、またはＴＬＶ−ＮＩＴ）を取得したことに基づいて、高解像度放送を受信可能であると判定する。
さらに、高解像度放送の放送波の受信品質（例えば、受信信号強度やＢＥＲを測定した結果が示す通信品質）が高解像度放送を正常に視聴可能な受信品質であることに基づいて、高解像度放送を視聴可能であると判定する。
その後、受信装置３１は、例えば、高解像度放送に放送切替をするための切替手段（例えば、放送選択画面やガイダンス画面等）を表示部３１９に表示する。
【０１２０】
以上により、第１１の実施形態に係る受信装置３１は、高解像度放送を受信可能であり、かつ、正常に視聴可能である、か否かを判定した結果に基づいて、高解像度放送への放送切替手段を表示するか否かを表示切替することができる。
【０１２１】
（第１２の実施形態）
上述した第１の実施形態から第１０の実施形態までの実施形態においては、受信装置３１の判定部３３１１が構成情報（例えば、ＮＩＴ、またはＴＬＶ−ＮＩＴ）を取得したことに基づいて、取得した構成情報を含む放送波に含まれる放送、すなわち取得した構成情報に対応する放送を受信可能であると判定した。そして、受信装置３１は、受信可能であると判定した放送に表示を切替えるための切替手段を表示部３１９に表示した。
第１２の実施形態においては、受信装置３１の初期設定時、及び通常時の設定メニュー画面（通知設定画面）等におけるユーザ操作によって、受信装置３１は、判定部３３１１の判定結果に関わらず、特定の放送（例えば、高解像度放送）に表示を切替えるための切替手段を表示部３１９に表示する。
【０１２２】
（受信装置の動作）
以下、受信装置３１の動作について説明する。
図１７は、本発明の第１２の実施形態に係る受信装置３１の動作の一例を示すフローチャートである。
【０１２３】
（ステップＳ３０１）まず、視聴者等によって、リモコンの電源ボタン、または受信装置３１が備える電源ボタン（図示せず）が押下されることによって、受信装置３１に電源が入れられる。その後、ステップＳ３０２へ進む。
【０１２４】
（ステップＳ３０２）受信装置３１の表示部３１９に表示される各種の通知画面において高解像度放送への切替手段を表示することを示す設定（通知設定）が、視聴者等によってなされているならば、ステップＳ３０４へ進む。そうでない場合は、ステップＳ３０３へ進む。
【０１２５】
（ステップＳ３０３）受信装置３１の判定部３３１１が、（例えば、高解像度放送のＮＩＴ、またはＴＬＶ−ＮＩＴを取得したことに基づいて）高解像度放送を受信可能と判断した場合、ステップＳ３０４へ進む。そうでない場合は、ステップＳ３０７へ進む。
【０１２６】
（ステップＳ３０４）受信装置３１の通知部３３１３が、（例えば、ユーザによる操作に基づいて、または所定のタイミングになったことに基づいて）放送選択画面を表示する命令を示す信号を受信した場合、ステップＳ３０５へ進む。そうでない場合は、ステップＳ３０６へ進む。
【０１２７】
（ステップＳ３０５）通知部３３１３は、高解像度放送（ＳＨＶ）を選択肢の中に含む放送選択画面を示す画像データを記憶部３２２から取得し、映像合成部３１８を介して、表示部３１９へ出力する。表示部３１９は、高解像度放送（ＳＨＶ）を選択肢の中に含む放送選択画面を表示する。その後、ステップＳ３０６へ進む。
【０１２８】
（ステップＳ３０６）視聴者等によって、リモコンの電源ボタン、または受信装置３１が備える電源ボタン（図示せず）が押下されることによって、受信装置３１に電源が切られた場合、本フローチャートの処理を終了する。そうでない場合は、ステップＳ３０４へ戻る。
【０１２９】
（ステップＳ３０７）受信装置３１の通知部３３１３が、（例えば、ユーザによる操作基づいて、または所定のタイミングになったことに基づいて）放送選択画面を表示する命令を示す信号を受信した場合、ステップＳ３０８へ進む。そうでない場合は、ステップＳ３０９へ進む。
【０１３０】
（ステップＳ３０８）通知部３３１３は、高解像度放送（ＳＨＶ）を選択肢の中に含まない放送選択画面を示す画像データを記憶部３２２から取得し、映像合成部３１８を介して、表示部３１９へ出力する。表示部３１９は、高解像度放送（ＳＨＶ）を選択肢の中に含まない放送選択画面を表示する。その後、ステップＳ３０９へ進む。
【０１３１】
（ステップＳ３０９）視聴者等によって、リモコンの電源ボタン、または受信装置３１が備える電源ボタン（図示せず）が押下されることによって、受信装置３１に電源が切られた場合、本フローチャートの処理を終了する。そうでない場合は、ステップＳ３０３へ戻る。
【０１３２】
以上により、本発明の第１２の実施形態に係る受信装置３１は、高解像度放送への放送切替手段を表示する設定が（ユーザ操作等によって）予めなされているならば、高解像度放送への放送切替手段を表示するように表示切替をする。また、受信装置３１は、高解像度放送への放送切替手段を表示する設定がなされていないならば、高解像度放送を受信できるか否かを判定した結果に基づいて、高解像度放送への放送切替手段を表示するか否かを表示切替することができる。
【０１３３】
以上、説明したように、第１２の実施形態に係る受信装置３１は、予め高解像度放送への放送切替手段を表示する設定にしておくことことができる。それにより、例えば、ＳＨＶ放送が始まったか否かを頻繁にチェックして、ＳＨＶ放送が始まったことを即座に知りたいユーザ等にとって便利である。
【０１３４】
（第１３の実施形態）
上述した第１２の実施形態においては、高解像度放送への放送切替手段を表示する設定が（ユーザ操作等によって）予めなされているならば、判定部３３１１による判定結果に関わらず、高解像度放送への放送切替手段を表示部３１９に表示した。また、受信装置３１の判定部３３１１は、高解像度放送への放送切替手段を表示する設定がなされていないならば、判定部３３１１が高解像度放送に対応する構成情報（例えば、ＮＩＴ、またはＴＬＶ−ＮＩＴ）を取得したことに基づいて、取得した高解像度放送を受信可能であると判定した。そして、高解像度放送を受信可能であると判定した場合、受信装置３１は、高解像度放送への切替手段を表示部３１９に表示した。
【０１３５】
第１３の実施形態においては、第１２の実施形態とは逆に、受信装置３１の初期設定時、及び通常時の設定メニュー画面（通知設定画面）等におけるユーザ操作によって、受信装置３１は、判定部３３１１の判定結果に関わらず、特定の放送（例えば、高解像度放送）に表示を切替えるための切替手段を表示部３１９に表示しない。
【０１３６】
（受信装置の動作）
以下、受信装置３１の動作について説明する。
図１８は、本発明の第１３の実施形態に係る受信装置３１の動作の一例を示すフローチャートである。
【０１３７】
（ステップＳ４０１）まず、視聴者等によって、リモコンの電源ボタン、または受信装置３１が備える電源ボタン（図示せず）が押下されることによって、受信装置３１に電源が入れられる。その後、ステップＳ４０２へ進む。
【０１３８】
（ステップＳ４０２）受信装置３１の表示部３１９に表示される各種の通知画面において高解像度放送への切替手段を表示しないことを示す設定（通知設定）が、視聴者等によってなされているならば、ステップＳ４１０へ進む。そうでない場合は、ステップＳ４０３へ進む。
【０１３９】
（ステップＳ４０３）受信装置３１の判定部３３１１が、（例えば、高解像度放送のＮＩＴ、またはＴＬＶ−ＮＩＴを取得したことに基づいて）高解像度放送を受信可能と判断した場合、ステップＳ４０４へ進む。そうでない場合は、ステップＳ４０７へ進む。
【０１４０】
（ステップＳ４０４）受信装置３１の通知部３３１３が、（例えば、ユーザによる操作に基づいて、または所定のタイミングになったことに基づいて）放送選択画面を表示する命令を示す信号を受信した場合、ステップＳ４０５へ進む。そうでない場合は、ステップＳ４０６へ進む。
【０１４１】
（ステップＳ４０５）通知部３３１３は、高解像度放送（ＳＨＶ）を選択肢の中に含む放送選択画面を示す画像データを記憶部３２２から取得し、映像合成部３１８を介して、表示部３１９へ出力する。表示部３１９は、高解像度放送（ＳＨＶ）を選択肢の中に含む放送選択画面を表示する。その後、ステップＳ４０６へ進む。
【０１４２】
（ステップＳ４０６）視聴者等によって、リモコンの電源ボタン、または受信装置３１が備える電源ボタン（図示せず）が押下されることによって、受信装置３１に電源が切られた場合、本フローチャートの処理を終了する。そうでない場合は、ステップＳ４０４へ戻る。
【０１４３】
（ステップＳ４０７）受信装置３１の通知部３３１３が、（例えば、ユーザによる操作基づいて、または所定のタイミングになったことに基づいて）放送選択画面を表示する命令を示す信号を受信した場合、ステップＳ４０８へ進む。そうでない場合は、ステップＳ４０９へ進む。
【０１４４】
（ステップＳ４０９）通知部３３１３は、高解像度放送（ＳＨＶ）を選択肢の中に含まない放送選択画面を示す画像データを記憶部３２２から取得し、映像合成部３１８を介して、表示部３１９へ出力する。表示部３１９は、高解像度放送（ＳＨＶ）を選択肢の中に含まない放送選択画面を表示する。その後、ステップＳ４０９へ進む。
【０１４５】
（ステップＳ４０９）視聴者等によって、リモコンの電源ボタン、または受信装置３１が備える電源ボタン（図示せず）が押下されることによって、受信装置３１に電源が切られた場合、本フローチャートの処理を終了する。そうでない場合は、ステップＳ４０３へ戻る。
【０１４６】
（ステップＳ４１０）受信装置３１の通知部３３１３が、（例えば、ユーザによる操作に基づいて、または所定のタイミングになったことに基づいて）放送選択画面を表示する命令を示す信号を受信した場合、ステップＳ４１１へ進む。そうでない場合は、ステップＳ４１２へ進む。
【０１４７】
（ステップＳ４１１）通知部３３１３は、高解像度放送（ＳＨＶ）を選択肢の中に含む放送選択画面を示す画像データを記憶部３２２から取得し、映像合成部３１８を介して、表示部３１９へ出力する。表示部３１９は、高解像度放送（ＳＨＶ）を選択肢の中に含む放送選択画面を表示する。その後、ステップＳ４１２へ進む。
【０１４８】
（ステップＳ４１２）視聴者等によって、リモコンの電源ボタン、または受信装置３１が備える電源ボタン（図示せず）が押下されることによって、受信装置３１に電源が切られた場合、本フローチャートの処理を終了する。そうでない場合は、ステップＳ４１０へ戻る。
【０１４９】
以上により、本発明の第１３の実施形態に係る受信装置３１は、高解像度放送への放送切替手段を表示しない設定が（ユーザ操作等によって）予めなされているならば、高解像度放送への放送切替手段を表示しないように表示切替をする。また、受信装置３１は、高解像度放送への放送切替手段を表示しない設定がなされていないならば、高解像度放送を受信できるか否かを判定した結果に基づいて、高解像度放送への放送切替手段を表示するか否かを表示切替することができる。
【０１５０】
以上、説明したように、第１３の実施形態に係る受信装置３１は、予め高解像度放送への放送切替手段を表示しない設定にしておくことことができる。それにより、例えば、ＳＨＶ放送の受信状況が良好でない（例えば、ブロックノイズが頻繁に発生する）等の理由によってＳＨＶ放送を視聴しないユーザにとっては、必要の無いＳＨＶ放送への放送切替ボタンを非表示にできるため、便利である。
【０１５１】
以上、この発明の実施形態について詳しく説明してきたが、具体的な構成は上述のものに限られることはなく、この発明の要旨を逸脱しない範囲内において様々な設計変更等をすることが可能である。
例えば、上述した実施形態に係る放送システム１は、４Ｋ／８Ｋ映像での放送に係る放送システム、すなわち多重化方式としてＭＭＴを用いる映像システムであるが、これに限られない。例えば、他の実施形態に係る放送システム１は、多重化方式としてＴＳ（Ｔｒａｎｓｐｏｒｔ  Ｓｔｒｅａｍ）を用いる放送システムであってもよい。
【０１５２】
なお、上述した実施形態における受信装置３１の一部又は全部をコンピュータで実現するようにしてもよい。その場合、この制御機能を実現するためのプログラムをコンピュータ読み取り可能な記録媒体に記録して、この記録媒体に記録されたプログラムをコンピュータシステムに読み込ませ、実行することによって実現してもよい。
【０１５３】
なお、ここでいう「コンピュータシステム」とは、受信装置３１に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１５４】
さらに「コンピュータ読み取り可能な記録媒体」とは、インターネット等のネットワークや電話回線等の通信回線を介してプログラムを送信する場合の通信回線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであっても良く、さらに前述した機能をコンピュータシステムにすでに記録されているプログラムとの組み合わせで実現できるものであってもよい。
【０１５５】
また、上述した実施形態における受信装置３１、を、ＬＳＩ（Ｌａｒｇｅ Ｓｃａｌｅ Ｉｎｔｅｇｒａｔｉｏｎ）等の集積回路として実現してもよい。受信装置３１の各機能ブロックは個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【符号の説明】
【０１５６】
１・・・放送システム、１１・・・送信装置、１２・・・放送伝送路、１３・・・放送衛星、１４・・・電波塔、３１・・・受信装置、１１１・・・番組データ取得部、１１３・・・構成情報取得部、１１４・・・多重化部、１１５・・・暗号化部、１１６・・・送信部、３１１・・・受信部、３１２・・・復号部、３１３・・・分離部、３１４・・・音声復号部、３１６・・・再生部、３１７・・・映像復号部、３１８・・・映像合成部、３１９・・・表示部、３２２・・・記憶部、３２３・・・操作入力部、３３１・・・制御部、３３１１・・・判定部、３３１２・・・切替部、３３１３・・・通知部、３３１４・・・選局部、ｓ１・・・放送選択画面、ｓ２・・・放送選択画面、ｓ３・・・ドロップダウンメニュー画面、ｓ４・・・放送選択画面、ｓ５・・・放送選択画面、ｓｍ１・・・設定メニュー画面、ｍ１・・・ガイダンス画面、ｍ２・・・ガイダンス画面、ｍ３・・・ガイダンス画面、ｂ１・・・放送切替ボタン、ｂ２・・・「ＢＳ」ボタン、ｂ３・・・「ＥＰＧ（番組表）」ボタン、ｂ４・・・「地上Ｄ」ボタン
【図１】
0006644470.tif 000002
【図２】
0006644470.tif 000003
【図３】
0006644470.tif 000004
【図４】
0006644470.tif 000005
【図５】
0006644470.tif 000006
【図６】
0006644470.tif 000007
【図７】
0006644470.tif 000008
【図８】
0006644470.tif 000009
【図９】
0006644470.tif 000010
【図１０】
0006644470.tif 000011
【図１１】
0006644470.tif 000012
【図１２】
0006644470.tif 000013
【図１３】
0006644470.tif 000014
【図１４】
0006644470.tif 000015
【図１５】
0006644470.tif 000016
【図１６】
0006644470.tif 000017
【図１７】
0006644470.tif 000018
【図１８】
0006644470.tif 000019